【手続補正書】
【提出日】平成24年4月23日(2012.4.23)
【手続補正１】
【補正対象書類名】特許請求の範囲
【補正対象項目名】全文
【補正方法】変更
【補正の内容】
【特許請求の範囲】
【請求項１】
表示パネルと、
前記表示パネルの背面の複数の領域のそれぞれに配置され、前記表示パネルの温度を前記領域ごとに調整するための複数の調整機構と、
を有し、
前記複数の調整機構のそれぞれは、
前記表示パネルの背面に取り付けられ、上下方向に開口を有する気体流路を形成する放熱手段と、
前記放熱手段の下部において、整流板を、前記気体流路を遮断する第１の位置と、前記気体流路を開放する第２の位置との間で移動させることにより、前記気体流路に下側の開口から流入する気体の流量を変更する変更手段と、
を含み、
前記変更手段は、前記表示パネルの背面の前記放熱手段に対応する領域の温度が所定値以上になった場合に、前記整流板を前記第１の位置側から前記第２の位置側に移動させて前記気体流路に下側の開口から流入する気体の流量を増加させることを特徴とする表示装置。
【請求項２】
前記変更手段は、
前記表示パネルの背面の対応する領域の温度が第１の温度以下である場合には、前記気体流路に下側の開口から気体が流入しないように、前記整流板を前記第１の位置に移動させ、
前記表示パネルの背面の対応する領域の温度が前記第１の温度よりも高い第２の温度以上である場合には、前記気体流路に下側の開口から気体が流入するように、前記整流板を前記第２の位置に移動させることを特徴とする請求項１に記載の表示装置。
【請求項３】
前記変更手段は、前記表示パネルの背面の対応する領域の温度が前記第１の温度と前記第２の温度との間の温度である場合には、前記整流板を前記第１の位置と前記第２の位置との間の位置に移動させることを特徴とする請求項２に記載の表示装置。
【請求項４】
前記変更手段は、
前記整流板と接続し、互いに異なる線膨張係数を有する第１の板材及び第２の板材を密着させて構成された調整板を含み、
前記調整板が前記表示パネルの背面の対応する領域の温度に応じて湾曲することで前記整流板を移動させることを特徴とする請求項１乃至３のうちいずれか１項に記載の表示装置。
【請求項５】
前記変更手段は、
前記表示パネルの背面の対応する領域の温度を検出する検出手段と、
前記検出手段で検出された温度に基づいて、前記整流板を移動させる移動手段と、
を含むことを特徴とする請求項１乃至３のうちいずれか１項に記載の表示装置。
【請求項６】
前記変更手段は、
前記表示パネルに表示される画像の画像データの輝度成分を、前記複数の領域ごとに平均化した平均化情報を算出する算出手段と、
前記算出手段で算出された平均化情報に基づいて、前記整流板を移動させる移動手段と、
を含み、
前記算出手段で算出された平均化情報が第１の値以下である場合には、前記気体流路に下側の開口から気体が流入しないように、前記整流板を前記第１の位置に移動させ、
前記算出手段で算出された平均化情報が前記第１の値よりも大きい第２の値以上である場合には、前記気体流路に下側の開口から気体が流入するように、前記整流板を前記第２の位置に移動させることを特徴とする請求項１に記載の表示装置。
【請求項７】
前記変更手段は、前記算出手段で算出された平均化情報が前記第１の値と前記第２の値との間の値である場合には、前記整流板を前記第１の位置と前記第２の位置との間の位置に移動させることを特徴とする請求項６に記載の表示装置。
【請求項８】
前記表示パネルの背面との間に空間を有して前記表示パネルの背面を覆うリアカバーを更に有し、
前記整流板は、前記第２の位置において、前記リアカバーの内面に接することを特徴とする請求項１乃至７のうちいずれか１項に記載の表示装置。
【請求項９】
前記放熱手段は、前記表示パネルの背面側の内面に、前記気体流路の内部に突出する放熱板を有することを特徴とする請求項１乃至８のうちいずれか１項に記載の表示装置。
【請求項１０】
表示パネルと、
前記表示パネルの背面の複数の領域のそれぞれに配置され、前記表示パネルの温度を前記領域ごとに調整するための複数の調整機構と、
を有し、
前記複数の調整機構のそれぞれは、
前記表示パネルの背面に取り付けられ、上下方向に開口を有する気体流路を形成する放熱手段と、
前記放熱手段の下部において、整流板を、前記気体流路を遮断する第１の位置と、前記気体流路を開放する第２の位置との間で移動させることにより、前記気体流路に下側の開口から流入する気体の流量を変更する変更手段と、
を含み、
前記変更手段は、前記表示パネルの背面の前記放熱手段に対応する領域の温度が所定値以下になった場合に、前記整流板を前記第２の位置側から前記第１の位置側に移動させて前記気体流路に下側の開口から流入する気体の流量を減少させることを特徴とする表示装置。
【請求項１１】
表示パネルと、
前記表示パネルの背面の複数の領域のそれぞれに配置され、前記表示パネルの温度を前記領域ごとに調整するための複数の調整機構と、
を有し、
前記複数の調整機構のそれぞれは、
前記表示パネルの背面に取り付けられ、前記表示パネルの背面における気体流路を形成する放熱手段と、
前記放熱手段の気体流路に流入する気体の流量を、前記表示パネルの背面の前記放熱手段に対応する領域の温度に応じて変更する変更手段と、
を含むことを特徴とする表示装置。
【請求項１２】
表示パネルの背面の複数の領域のそれぞれに配置され、前記表示パネルの温度を前記領域ごとに調整するための調整機構であって、
前記表示パネルの背面に取り付けられ、前記表示パネルの背面における気体流路を形成する放熱手段と、
前記放熱手段の気体流路に流入する気体の流量を、前記表示パネルの背面の前記放熱手段に対応する領域の温度に応じて変更する変更手段と、
を有することを特徴とする調整機構。
【手続補正２】
【補正対象書類名】明細書
【補正対象項目名】００１０
【補正方法】変更
【補正の内容】
【００１０】
上記目的を達成するために、本発明の一側面としての表示装置は、表示パネルと、前記表示パネルの背面の複数の領域のそれぞれに配置され、前記表示パネルの温度を前記領域ごとに調整するための複数の調整機構と、を有し、前記複数の調整機構のそれぞれは、前記表示パネルの背面に取り付けられ、上下方向に開口を有する気体流路を形成する放熱手段と、前記放熱手段の下部において、整流板を、前記気体流路を遮断する第１の位置と、前記気体流路を開放する第２の位置との間で移動させることにより、前記気体流路に下側の開口から流入する気体の流量を変更する変更手段と、を含み、前記変更手段は、前記表示パネルの背面の前記放熱手段に対応する領域の温度が所定値以上になった場合に、前記整流板を前記第１の位置側から前記第２の位置側に移動させて前記気体流路に下側の開口から流入する気体の流量を増加させることを特徴とする。
【手続補正３】
【補正対象書類名】明細書
【補正対象項目名】００２２
【補正方法】変更
【補正の内容】
【００２２】
Ｘ方向配線とＹ方向配線との間に数十ボルトの電圧を印加することで、電子放出素子から電子が放出される。また、外部高圧電源からメタルバック膜に数十キロボルトの電圧（＋電位）を印加することで、電子放出素子から放出された電子が加速される。加速した電子が蛍光体膜に衝突すると、蛍光体膜は発光する。この際、メタルバック膜には大きな電流が流れるため、高い熱を発する。従って、本実施形態では、表示パネル４２を表示装置１の駆動時に発熱する発熱部材として考える。なお、表示パネル４２に表示する画像（内容）によって、表示パネル４２には、高い輝度（例えば、白色など）の領域と低い輝度（例えば、灰色又は黒色など）の領域とが生じる。そして、高い輝度領域では表示パネル４２の温度が高くなり、低い輝度の領域では表示パネル４２の温度は低くなるため、表示パネル４２には温度ムラ（温度分布）が発生する。